(57)【要約】【課題】  時刻及びその他の情報を同時に提示する装置であって豊富なデザインのバリエーションに対応でき、インテリア性に優れたアナログ時計を提供する。【解決手段】  時計文字盤の周縁に沿う帯状領域に文字符を配置した文字符領域12と、文字符領域により囲まれたＬＥＤ表示装置21と、ＬＥＤ表示装置の中心を貫通させた針軸14と、針軸により支持されて駆動される長短針13とを有し、ＬＥＤ表示装置における表示を制御するＬＥＤ表示制御ユニット22と長短針を駆動するムーブメント15と時計文字盤の裏面に設けたことを特徴とするＬＥＤ表示装置付きアナログ時計である。【選択図】  図１
2006214909.tif 000002
【特許請求の範囲】
【請求項１】
時計文字盤の周縁に沿う帯状領域に文字符を配置した文字符領域と、
前記文字符領域により囲まれたＬＥＤ表示装置と、
前記ＬＥＤ表示装置の中心を貫通させた針軸と、
前記針軸により支持されて駆動される長短針とを有し、
前記ＬＥＤ表示装置における表示を制御するＬＥＤ表示制御ユニットと前記長短針を駆動するムーブメントとを前記時計文字盤の裏面に設けたことを特徴とする
ＬＥＤ表示装置付きアナログ時計。
【請求項２】
前記ＬＥＤ表示装置がフルカラーＬＥＤ表示装置であることを特徴とする
請求項１に記載のＬＥＤ表示装置付きアナログ時計。
【請求項３】
前記ＬＥＤ表示制御ユニットが遠隔制御装置から伝送させる表示制御データにより制御されることを特徴とする請求項１または２に記載のＬＥＤ表示装置付きアナログ時計。
【請求項４】
前記表示制御データの伝送が無線伝送または有線伝送であることを特徴とする請求項３に記載のＬＥＤ表示装置付きアナログ時計。
【請求項５】
音声を再生する音声コントローラ及びスピーカーを具備することを特徴とする請求項１〜４のいずれかに記載のＬＥＤ表示装置付きアナログ時計。
【請求項６】
前記時計文字盤の輪郭が円形、角形または楕円形であることを特徴とする請求項１〜５のいずれかに記載のＬＥＤ表示装置付きアナログ時計。
【発明の詳細な説明】
【技術分野】
【０００１】
本発明は、ＬＥＤ表示装置付きアナログ時計に関し、好適にはフルカラーＬＥＤ表示装置付きアナログ時計に関する。
【背景技術】
【０００２】
一般的に、アナログ時計は、デザインのバリエーションが豊富でありインテリア性、審美性の点でデジタル時計よりも優れている。従って、単に時刻を伝える目的のみでなく装飾の目的で公共の場所に設置されることも多い。例えば、病院、学校、公的施設、著名な建築物等の通常多くの人が集まる場所ではよく設置されている。
【０００３】
一方、公共施設等の多くの人が集まる所では、時刻のみでなく種々の情報（ニュース、天気予報、交通情報等）を提供することが人々にとって大変便利である。  
【０００４】
特許文献１には、アナログ時計を表示可能な表示装置において、アナログ時計の表示領域以外の領域に、種々の情報や映像等を表示する表示装置が開示されている。
【０００５】
特許文献２には、アナログ時計を表示可能な表示装置において、アナログ時計の長短針等を表示する領域において、長短針表示部分以外の部分に種々の情報や映像等を表示する表示装置が開示されている。
【特許文献１】特開２００１−２８１３６２号公報
【特許文献２】特開２００２−２５７９５３号公報
【発明の開示】
【発明が解決しようとする課題】
【０００６】
しかしながら、特許文献１及び２に記載された従来のアナログ時計機能と情報提供機能を組み合わせた表示装置におけるアナログ時計は、実際の長短針を具備する昔ながらの時計ではなく、表示装置の表示機能により画像として長短針を表示したアナログ時計であった。従って、アナログ時計とその他の情報を同時に表示するための表示制御システムが複雑となった。その上、その他の情報の表示と同一平面上に表示されるアナログ時計は、時計としてのデザインが限定されるため、全体のインテリア性を損ねるものであった。
【０００７】
本発明は、時刻及びその他の情報を同時に提示する装置であって豊富なデザインのバリエーションに対応でき、インテリア性に優れたアナログ時計を提供することを目的とする。さらに、最近、交通機関の発着時刻案内、車両表示、公共施設等の情報及びメッセージ表示のための素子として注目されているＬＥＤ表示装置、特にフルカラーＬＥＤ表示装置を備えたアナログ時計を提供することを目的とする。
【課題を解決するための手段】
【０００８】
（１）請求項１に係るＬＥＤ表示装置付きアナログ時計は、
時計文字盤の周縁に沿う帯状領域に文字符を配置した文字符領域と、
前記文字符領域により囲まれたＬＥＤ表示装置と、
前記ＬＥＤ表示装置の中心を貫通させた針軸と、
前記針軸により支持されて駆動される長短針とを有し、
前記ＬＥＤ表示装置における表示を制御するＬＥＤ表示制御ユニットと前記長短針を駆動するムーブメントとを前記時計文字盤の裏面に設けたことを特徴とする。
【０００９】
（２）請求項２に係るＬＥＤ表示装置付きアナログ時計は、請求項１において、前記ＬＥＤ表示装置がフルカラーＬＥＤ表示装置であることを特徴とする。
【００１０】
（３）請求項３に係るＬＥＤ表示装置付きアナログ時計は、請求項１または２において、前記ＬＥＤ表示制御ユニットが遠隔制御装置から伝送させる表示制御データにより制御されることを特徴とする。
【００１１】
（４）請求項４に係るＬＥＤ表示装置付きアナログ時計は、請求項３において、前記表示制御データの伝送が無線伝送または有線伝送であることを特徴とする。
【００１２】
（５）請求項５に係るＬＥＤ表示装置付きアナログ時計は、請求項１〜４のいずれかにおいて、音声を再生する音声コントローラ及びスピーカーを具備することを特徴とする。
【００１３】
（６）請求項５に係るＬＥＤ表示装置付きアナログ時計は、請求項１〜５において、前記時計文字盤の輪郭が丸形または角形であることを特徴とする。
【発明の効果】
【００１４】
本発明のＬＥＤ表示装置付きアナログ時計は、実際に長短針を備えたアナログ時計の中央領域にＬＥＤ表示装置を設けたので、時刻を伝えるのみでなく種々の映像や情報をＬＥＤ表示装置に表示して情報伝達あるいは観賞させることができる。また、全体形状は、実際の長短針を備えたアナログ時計であるからデザインのバリエーションが広く、インテリア性に優れている。加えて、ＬＥＤ表示装置に表示する映像等を最適に選択することによってもさらに審美性を高められる。ＬＥＤ表示装置に表示する映像等は任意に変更することができるので、これによってもさらにデザインのバリエーションが拡げられる。また、ＬＥＤ表示装置は、時計表示を行う必要はなく、専ら時計以外の情報提示に用いることができるため、表示制御システムが複雑とならない。
【００１５】
特にフルカラーＬＥＤ表示装置は、審美性と表示の明瞭性の点で優れている。尚、遠隔制御装置から伝送される表示制御データにより表示内容を変更することで、幅広い情報提供が可能となる。例えば、リアルタイムで変動するニュース、天気予報、災害情報にも対応できる。また、ＴＶや映画等の動画配信も可能である。さらに、音声をスピーカーで再生することにより、映像に伴う音声再生や音楽配信等も可能である。無線伝送は、設置のための余分な配線やその工事が不要である。
【発明を実施するための最良の形態】
【００１６】
以下、図面を参照しつつ本発明の実施の形態を説明する。
図１(Ａ)は、本発明によるＬＥＤ表示装置付きアナログ時計１の一実施例の前面図であり、図１(Ｂ)は、(Ａ)のＸ−Ｘ断面概略図である。本発明の対象とされるアナログ時計は、掛け時計または置き時計のいずれであってもよい。全体の大きさは限定されない。また、屋外にも屋内にも設置できる。
【００１７】
図１(Ａ)の前面図には、時計文字盤の前面全体が現れている。図示の例では、時計文字盤の輪郭は円形である。時計文字盤の周縁に沿う帯状領域は、文字符領域１１であり文字符１２が配置されている。文字符は、時計の文字盤に貼ってある数字であるが、「１」〜「１２」の全てが数字で標記されるとは限らず、一部が記号等であったり、省略されたりすることもある。文字符領域１１の幅は任意であり、基本的には周縁から一定の幅であるが、デザインによっては幅を変動させてもよい。尚、夜間や暗い場所でも見易いように、文字符自体またはその背景である文字符領域のいずれかまたは双方をＬＥＤ等の発光素子により構成してもよい。これは、後述する中央領域のＬＥＤ表示装置２１とは別に設けるものである。
【００１８】
文字符領域１１により囲まれた中央領域には、ＬＥＤ表示装置２１が設けられその前面が現れている。ＬＥＤ表示装置２１は、ＬＥＤ素子を縦横に所定個数マトリクス状に配列したパネル型装置（ドットマトリクスパネル）であり、市販のものでは輪郭が角形のものが一般的であるが、図示の例では輪郭が円形となっている。円形ＬＥＤドットマトリクスパネルの製造コスト及び駆動コストを安価とするためには、一般的な角形ＬＥＤドットマトリクスパネル（例えば正方形）の上に適宜の寸法のドーナツ形状の上記文字符領域１１を重ねることにより、見かけ上の円形ＬＥＤドットマトリクスパネルとしてもよい。
【００１９】
好適には、ＬＥＤ表示装置２１は、フルカラーＬＥＤ表示装置であることが好ましい。フルカラーＬＥＤ表示装置は、発光色が赤、緑、青のそれぞれの素子を組み込んだドットマトリクスパネルにより実現される。ドットマトリクスパネルの１ドット（画素）に相当する各ＬＥＤ素子の点灯消灯及び輝度等を制御することにより、種々の文字、数字、図形等を静止画像、動画像として表示可能である。図示の例では、風景を表現した静止画像３１が示されている。別の実施例では、１色のみの表示でもよい。または、２色、３色等の多色表示でもよい。
【００２０】
ＬＥＤ表示装置２１の中心には針軸１４を貫通させるための孔が穿設され、この孔の位置にはＬＥＤ素子を設けない。これは、ＬＥＤドットマトリクスパネルの中心部のＬＥＤ素子を取り外し、基板に貫通孔を穿設することで作製できる。
【００２１】
針軸１４は、長短針１３を支持しかつこれらを駆動する。図示の例では、長針と短針のみであるが、任意に秒針を設けてもよい。これらは、従来のアナログ時計と同じ部品である。
【００２２】
図１(Ｂ)のＸ−Ｘ断面概略図に示す通り、ＬＥＤ表示装置２１は、適宜の厚さをもつ円板である時計文字盤本体の前面に設けた凹部に嵌め込んでもよい。本体へのＬＥＤ表示装置２１の設置方法は、デザインに応じて多様に考えられる。さらに、時計文字盤の裏面には、ＬＥＤ表示装置２１における表示を制御するＬＥＤ表示制御ユニット２２と、長短針１３を駆動するムーブメント１５とが設けられている。ＬＥＤ表示制御ユニット２２は、適宜の接続配線２１ａによりＬＥＤ表示装置２１と結線されている。ムーブメント１５は、アナログ時計の駆動機構であり、従来のアナログ時計のものと同じである。
【００２３】
任意であるが、音声再生を行う場合は、例えば時計文字盤の裏面等にスピーカー２３ａ、２３ｂ並びに音声コントローラ２４を設けてもよい。音声コントローラ２４は音声制御データを変換してスピーカー２３ａ、２３ｂへ送り再生させる。
【００２４】
図２は、本発明によるＬＥＤ表示装置付きアナログ時計１の別の実施例の前面図である。この実施例では、時計文字盤の輪郭が四角形である。ＬＥＤ表示装置２１も四角形であるので、市販のＬＥＤドットマトリクスパネルをそのまま利用できる。その他の時計文字盤の輪郭形状の例としては、六角形、八角形、楕円形、不規則形状等があり、いずれでもよい。本発明のＬＥＤ表示装置付きアナログ時計１においては、文字符領域１２より周縁側の領域は、従来通りのアナログ時計であるので、中央領域設けたＬＥＤ表示装置２１とは関係なく自由なデザインが可能である。
【００２５】
一方、図２の例では、ＬＥＤ表示装置２１に静止画像３１の他に、文字情報３２も表示されている。文字情報のみをスクロールさせる動画表示も可能である。
【００２６】
図３は、本発明によるＬＥＤ表示装置付きアナログ時計１の制御システムを概略的に示した構成図である。フルカラーＬＥＤ表示装置２１は、ＬＥＤ表示制御ユニット２２の制御により表示を行う。ＬＥＤ表示制御ユニット２２は、ＬＥＤ表示装置２１の画素である各ＬＥＤ素子を直接駆動するＬＥＤドライバ２２ａと、このＬＥＤドライバ２２ａに表示制御データを送るＬＥＤ表示コントローラ２２ｂが論理ＩＣ等を用いて構成され、例えば、電子回路基板として形成されている。ＬＥＤドライバ２２ａの構成には、種々の駆動方式がある。表示データメモリ２２ｃは、表示する情報内容（例えば、風景の静止画像等）に応じた表示制御データが記憶されている。
【００２７】
ＬＥＤ表示コントローラ２２ｂは、表示データメモリ２２ｃに記憶された表示制御データを取り出し、適宜変換してＬＥＤドライバ２２ａに対して出力する。尚、フルカラーＬＥＤ表示装置２１及びＬＥＤ表示制御ユニット２２に対する電源供給部（図示せず）も設けられており、外部電源へ接続されている。アナログ時計ユニット１１〜１５の電源は、一般的な電池でもよく、あるいは外部電源を供給してもよい。
【００２８】
ＬＥＤ表示制御ユニット２２は、例えばＰＩＣ(peripheral interface controller) を含む論理ＩＣ等で構成した論理回路により実施可能である。好適に利用されるＰＩＣは、所定のプログラムを記憶したプログラムメモリ、プログラムを実行する演算処理部、データを記憶するメモリを内蔵した論理ＩＣである。比較的単純な画像表示を行う場合は、画像データをメモリに記憶しておけば図示のような外部通信ライン４１を介して外部から表示制御データを受信する必要はなく、独立した装置とすることができる。
【００２９】
図示の例では、ＬＥＤ表示コントローラ２２ｂが通信インタフェース２５を介して外部通信ライン４１へ接続されている。外部通信ラインは無線でも有線でもよいが、配線の設置が不要な無線伝送が好適である。無線伝送には、衛星放送受信も含まれる。有線の場合、公衆電話回線網を利用した種々の通信ネットワークとの接続も含まれる。
【００３０】
音声コントローラ２４は、一実施例では、音声データメモリ（図示せず）に記憶された音声制御データを読み出して変換し、音声をスピーカー２３ａ、２３ｂにより再生する。別の実施例では、通信インタフェース２５を介して外部から音声制御データを受信してスピーカーにより再生してもよい。
【００３１】
外部通信ライン４１は、遠隔制御装置４０に接続されている。遠隔制御装置４０は、例えば、適宜の通信装置を具備するコンピュータであり、ＬＥＤ表示コントローラ２２ｂの制御用ソフトウェアを導入されている。任意であるが音声コントローラ２４の制御用ソフトウェアを導入していてもよい。これらの制御用ソフトウェアにより、表示制御データ及び音声制御データを外部通信ライン４１を介してＬＥＤ表示装置付きアナログ時計１のＬＥＤ表示コントローラ２２ｂ及び音声オンとローラ２４へ送信することができる。遠隔制御装置４０を用いることにより、ＬＥＤ表示装置２１において多様な表示を行うことができる。例えば、テレビ画像、映画、交通情報、災害情報、天気予報、ニュース、音楽等の、映像、文字、音声及びこれらの組合せによる多様な表示である。
【図面の簡単な説明】
【００３２】
【図１】(Ａ)は本発明によるＬＥＤ表示装置付きアナログ時計１の一実施例の前面図であり、(Ｂ)は(Ａ)のＸ−Ｘ断面概略図である。
【図２】本発明によるＬＥＤ表示装置付きアナログ時計１の別の実施例の前面図である。
【図３】本発明によるＬＥＤ表示装置付きアナログ時計１の制御システムを概略的に示した構成図である。
【符号の説明】
【００３３】
１  フルカラーＬＥＤ表示装置付きアナログ時計
１１  文字符領域
１２  文字符
１３  長短針
１４  針軸
１５  ムーブメント
２１  フルカラーＬＥＤ表示装置
２１ａ  接続配線
２２  ＬＥＤ表示制御ユニット
２２ａ  ＬＥＤドライバ
２２ｂ  ＬＥＤ表示コントローラ
２２ｃ  表示データメモリ
２３ａ、２３ｂ  スピーカー
２４  音声コントローラ
２５  通信インタフェース
３１  静止画像
３２  文字情報
４０  遠隔制御装置
４１  外部通信ライン
【図１】
2006214909.tif 000003
【図２】
2006214909.tif 000004
【図３】
2006214909.tif 000005